(57)【要約】【課題】組込み機器が中継機経由でセンターマシンとダイアルアップ接続するシステムにおいて、組込み機器のネットワークアドレス管理を容易にする。【解決手段】組込み機器１０は、ダイアルアップルーター２０を介してセンターマシン３０にダイアルアップ接続して、センターマシン３０に自器を登録するこの登録の際、組込み機器１０はセンターマシン３０からネットワークアドレスを動的に割り当てられる。このネットワークアドレスは、センターマシン３０とダイアルアップルーター２０で管理される。組込み機器１０側からセンターマシン３０に削除要求を出された場合、または、センターマシン３０側から組込み機器１０に削除要求が出された場合には、組込み機器１０に割り当てられたネットワークアドレスは解放され、センターマシン３０とダイアルアップルーター２０は、その解放したネットワークアドレスを管理情報から削除する。【選択図】図１
2007312038.tif 000002
【特許請求の範囲】
【請求項１】
組込み機器を通信時のみ中継機経由でセンターマシンに接続するシステムにおける組込み機器のネットワークアドレス管理方式において、
前記中継機は、
前記組込み機器からの接続要求に対して、前記組込み機器にネットワークアドレスを動的に配布する第１の配布手段と、
前記組込み機器の電話番号と前記組込み機器が前記センターマシンに通信する際のネットワークアドレスを対にして管理する第１の管理手段と、
を備え、
前記センターマシンは、
前記組込み機器にネットワークアドレスを動的に配布する第２の判断配布手段と、
前記組込み機器に関する情報を管理する第２の管理手段と、
該管理手段を操作して、前記組込み機器の登録・削除を動的に処理する処理手段と
を備え、
前記組込み機器の登録・削除を、前記組込み機器のネットワークアドレスの登録・削除により行うことを特徴とするネットワークアドレス管理方式。
【請求項２】
前記組込み機器の削除は、前記組込み機器から前記センターマシンへの削除要求、または前記センターマシンから前記中継機への組込み機器の削除要求により行われ、
前記組込み機器の削除は、前記センターマシンの第２の管理手段から削除要求のあった組込み機器のネットワークアドレスを削除する処理と、前記中継機の第１の管理手段から該削除要求のあった組込み機器のネットワークアドレスを削除する処理により実行されることを特徴とする請求項１記載のネットワークアドレス管理方式。
【請求項３】
前記中継機は、前記組込み機器から最初に接続要求を受信した際には、前記組込み機器に対して一時的なネットワークアドレスを動的に配布して前記組込み機器とデータリンク層レベルの通信を確立し、
前記組込み機器が前記センターマシンに登録された後に、前記組込み機器から接続要求を受信したときは、前記組込み機器から指定されたネットワークアドレスで、前記組込み機器を前記センターマシンへ接続することを特徴とする請求項１または２記載のネットワークアドレス管理方式。
【発明の詳細な説明】
【技術分野】
【０００１】
本発明は、ダイアルアップ接続により中継機経由でセンターマシンと接続される組込み機器のネットワークアドレス管理方式に関する。
【背景技術】
【０００２】
従来、組込み機器をネットワークに接続する場合は、通信プロトコルや接続機にクローズした独自仕様な方式で作成されたものを使用していた。しかしながら近年のネットワーク技術はオープン化が進展し、オープンな通信仕様に基づく機器の使用が主流になってきている。
【０００３】
組込み機器をダイアルアップでセンターマシンと接続する場合も、ダイアルアップルーターを使用するケースが多くなってきている。ダイアルアップルーターにおいては、ダイアルアップを着呼して、ＬＡＮ（ローカルエリアネットワーク）との間でルーティング機能を実現する。
【０００４】
ネットワーク接続では、接続先のネットワークアドレスを基に接続処理が行われる。このネットワーク接続においては、組込み機器からセンターマシンへの発信だけでなく、センターマシンからの発信で組込み機器に接続する場合もある。センターマシンから組込み機器への接続は、例えば、センターマシンが組込み機器の動作を確認する場合などに行われる。
【０００５】
このように、センターマシンから組込み機器へ発信する場合もあるので、センターマシ
ン側も、個々の組込み機器のネットワークアドレスを知っておく必要がある。
通常、パソコン（ＰＣ）が、インターネット接続などのように、ダイアルアップルーターへ接続する場合、接続時に、ダイアルアップルーターからパソコンに対して動的にネットワークアドレスを配布する形態がとられるが、この方法を、そのまま、組込み機器に適用すると、センターマシンは組込み機器のネットワークアドレスを知ることができない。      
【０００６】
このため、センターマシンが組込み機器のネットワークアドレスを知る手段として、ネットワークアドレスと組込み機器を対応付けて固定的に管理する方法がとられている。すなわち、予め、組込み機器のネットワークアドレスを決めておき、そのアドレスをセンターマシンに登録しておく。
【０００７】
しかしながら、この方法だと、新規に組込み機器をネットワークに追加する都度に、その組込み機器にネットワークアドレスを設定する手作業が発生する。このため、この手作業での人為的な誤りにより、システムに不具合が発生する危険性がある。
【０００８】
ところで、従来、新規にネットワークに接続された端末（端末装置）に対して動的にネットワークアドレスを割り当てる装置を有する従来技術が知られているが、これらの動的にネットワークアドレスを割り当てる装置は、いずれも、上記新規端末（端末装置）が接続されるネットワークと同一ネットワークに接続されたサーバやネットワークアドレス動的管理装置であった（例えば、特許文献１、２参照）。
【０００９】
したがって、これらの従来技術を、組込み機器が中継機を経由してセンターマシンに接続されるシステムに適用しても、上述したパソコンのダイアルアップルーターによるインターネット接続と同様、中継機を経由して接続されるセンターマシンは、新規にネットワークに接続された組込み機器のネットワークアドレスを知ることはできない。
【特許文献１】特開平７−３８６００号公報
【特許文献２】特開平２−２００４５４号公報
【発明の開示】
【発明が解決しようとする課題】
【００１０】
上述したように、個々の組込み機器毎に異なるネットワークアドレスを手動で設定する手法では、システム障害が発生する可能性は避けられない。
本発明は、上記問題点を解決するために、組込み機器が中継機経由でセンターマシンに接続され、かつ、組込み機器の要求時のみ、組込み機器をネットワークに接続するシステムにおいて、組込み機器のネットワークへの登録・削除を動的（自動的）にできるようにすることである。
【課題を解決するための手段】
【００１１】
本発明は、組込み機器を通信時のみ中継機経由でセンターマシンに接続するシステムにおける組込み機器のネットワークアドレス管理方式を前提とする。
そして、前記中継機は、前記組込み機器の登録時における最初の接続要求に対して、前記組込み機器に第１のネットワークアドレスを動的に配布する第１の配布手段と、前記組込み機器の電話番号と前記組込み機器が前記センターマシンに通信する際の第２のネットワークアドレスを対にして管理する第１のテーブルと該第１のテーブルへの前記第２のネットワークの登録・削除を動的に行う第１の管理手段と、前記組込み機器に対して、前記第１のネットワークアドレスによる動的ネットワークアドレスによる接続と、前記第２のネットワークアドレスによる固定ネットワークアドレスによる接続を提供する接続制御部手段とを備え、前記センターマシンは、前記組込み機器に前記第２のネットワークアドレスを動的に配布する第２の判断配布手段と、前記組込み機器に関する情報を管理する第２のテーブルと、該第２のテーブルに対して、前記組込み機器に関する情報を登録すると共に、前記第２のネットワークアドレスを動的に登録・削除する第２の管理手段とを備え、前記組込み機器の登録・削除を、前記組込み機器のネットワークアドレスの登録・削除により行うことを特徴とする。
【００１２】
前記組込み機器の削除は、例えば、前記センターマシンの前記第２のテーブルから前記組込み機器の第２のネットワークアドレスを削除する処理と、前記中継機の第１のテーブルから前記組込み機器の第２のネットワークアドレスを削除する処理により行われる。
【００１３】
また、前記組込み機器の削除処理は、例えば、前記組込み機器から前記センターマシンへの削除要求により、または、センターマシンから前記中継機への削除要求により行われる。
【００１４】
本発明によれば、組込み機器がセンターマシンに接続する際に使用する第２のネットワークを、センターマシンの第１のテーブルと中継機の第２のテーブルにより管理する。そして、組込み機器を登録する際には、センターマシンが前記第２のネットワークアドレスを動的に割り当てて、それを前記第１及び第２のテーブルに登録する。一方、組込み機器を削除する際には、前記第１及び前記第２のテーブルから該組込み機器の第２のネットワークアドレスを削除する。このため組込み機器の管理が容易になる。
【発明の効果】
【００１５】
本発明によれば、操作員が組込み機器をネットワークに登録したり削除する際組込み機器のネットワークアドレスの設定・削除は動的（自動的）に行われる。このため、組込み機器のネットワーク管理が容易になる。また、従来発生していた操作員の手作業によるネットワークアドレスの誤設定も防止できるので、組込み機器のネットワークアドレス管理の信頼性が高まる。
【００１６】
さらに、組込み機器のネットワークアドレスは、その設定・削除に伴って動的に獲得・解放されるため、組込み機器の全個数分のネットワークアドレスを用意する必要はない。したがって、組込み機器のネットワークアドレス管理を、より少数のネットワークアドレスで実現できる。
【発明を実施するための最良の形態】
【００１７】
以下、図面を参照しながら、本発明の実施形態を説明する。
【実施例】
【００１８】
図１は、本発明を適用した実施例のシステム全体の構成図である。
同図において、ｎ個の組込み機器１０（１０−１、１０−２、・・・、１０−ｎ）には、それぞれ、固有の電話番号を持つ電話機１９（１９−１、１９−２、・・・、１２−ｎ）が設置されている。これらｎ個の組込み機器１０は、設置された電話機１２を介して中継機（以下、ダイアルアップルーター）２０とダイアルアップ接続する。
【００１９】
組込み機器１０は、組込み機器１０の情報（電話番号、組込み機器識別コード組込み機器付帯情報）を、ダイアルアップルーター２０を介してセンターマシン３０に送信し、組込み機器１０自身の登録・削除をセンターマシン３０に要求する。
【００２０】
ダイアルアップルーター２０は、ＬＡＮ（不図示）を介してセンターマシン３０と接続されている。ダイアルアップルーター２０は、組込み機器１０からの電話着呼を受けると、データリンク層レベルの接続を行い、組込み機器１０から指定されたネットワークアドレスを基に、前記ＬＡＮ側のセンターマシン３０とネットワーク層レベルの接続処理を行う。ダイアルアップルーター２０は、逆に、センターマシン３０から組込み機器１０への接続要求を受信すると、センターマシン３０から指定されたネットワークアドレスから組込み機器１０の電話番号を割り出し、組込み機器１０の電話機１９に対して電話発呼を行い、続いて、電話機１９とデータリンク層レベルでの接続を行い、さらに、上位プロトコルによる接続要求を電話機１９を介して組込み機器１０に送る。
【００２１】
ダイアルアップルーター２０は、組込み機器１０からの接続要求に対し、その組込み機器１０に動的にネットワークアドレスを割り付ける機能（動的ネットワークアドレス機能）と、組込み機器１０（同一の電話番号）からの接続要求に対し、その接続要求において指定されたネットワークアドレスをそのまま使用して該組込み機器１０をセンターマシン３０に接続させる機能（固定ネットワークアドレス接続制御機能）を有する。ダイアルアップルーター２０は、このように、組込み機器１０に対して、固定ネットワークアドレス接続制御機能と動的ネットワークアドレス接続の両方のサービスを提供する機能を備えている。
【００２２】
センターマシン３０は、組込み機器１０からの登録・削除要求に基づき、組込み機器１０に関する情報（ネットワークアドレス、電話番号、組込み機器識別コード、組込み機器付帯情報）を動的に登録・削除する。
【００２３】
図２は、組込み機器１０の内部構成を示す図である。
同図に示すように、組込み機器１０は、組込み機器情報格納部１１、接続先情報格納部１２、接続元情報格納部１３、登録処理部１４、削除処理部１５及び接続制御部１６を備えている。
【００２４】
組込み機器情報格納部１１は、自器に関する情報（電話番号、マシン番号、付帯情報等）を格納している。接続先情報格納部１２は、全組込み機器１０で共通なダイアルアップルーター２０への電話機１９と全組込み機器１０で共通なセンターマシン３０のネットワークアドレスを格納している。接続元情報格納部１３は、センターマシン３０から通知されたネットワークアドレスを格納する。
【００２５】
登録処理部１４は、組込み機器情報格納部１１から上記自器に関する情報を取得し、該情報をパラメータとするコマンドを接続制御部１６を介してセンターマシン３０に送信することにより、自器をセンターマシン３０に初期登録する。
【００２６】
削除処理部１５は、組込み機器情報格納部１１から自器のマシン番号を取得し該マシン番号をパラメータとするコマンドを接続制御部１６を介してセンターマシン３０に送信することにより、自器の登録をセンターマシン３０から削除する
接続制御部１６は、電話機１９を介してダイアルアップルーター２０にダイアルすることによりセンターマシン３０とダイアルアップ接続し、センターマシン３０との間で通信を行う。
【００２７】
図３は、ダイアルアップルーター２０の内部構成を示す図である。
同図に示すように、ダイアルアップルーター２０は、接続制御部２１、ネットワークアドレス管理部２２、ネットワークアドレスプール部２３及びダイアルアップ管理テーブル２４を備える。
【００２８】
接続制御部２１は、組込み機器１０とセンターマシン３０との間の通信を制御する。
ネットワークアドレス管理部２２は、接続制御部２１が組込み機器１０から接続要求を受けると、ネットワークアドレスプール部２３から動的にネットワークアドレスを獲得し、そのネットワークアドレスを該組込み機器１０に割り付けるネットワークアドレス管理部２２は、ダイアルアップ管理テーブル２４を利用して、上記組込み機器１０に対するネットワークアドレスの動的割り付けを行う。
【００２９】
接続制御部２１は、組込み機器１０が接続要求時において、パラメータにより固定ネットワークアドレス接続を要求してきた場合には、その組込み機器１０により指定されたネットワークアドレスで該組込み機器１０をセンターマシン３０に接続させる。
【００３０】
ネットワークアドレスプール部２３は、本システム内で使用可能なネットワークアドレスの動的な獲得・解放を実現する機構であり、各ネットワークアドレスの使用状況（未使用、使用中などのステイタス情報）を、フラグなどで管理している。
【００３１】
ダイアルアップ管理テーブル２４は、各組込み機器１０のネットワークアドレスと電話番号（設置された電話機１９の電話番号）を格納しているテーブルである。
図４は、該ダイアルアップ管理テーブル２４のデータ構造を示す図である。
【００３２】
同図に示すように、ダイアルアップ管理テーブル２４は、ｎ個の各組込み機器１０−１〜１０−ｎについて、それらの電話番号（設置された電話機１９の電話番号）とネットワークアドレスを１対１に対応付けて各行に格納している。
【００３３】
図５は、センターマシン３０の内部構成を示す図である。
同図に示すように、センターマシン３０は、接続制御部３１、ネットワークアドレスプール部３２、テーブル管理部３３及び組込み機器管理テーブル３４を備えている。
【００３４】
接続制御部３１は、ダイアルアップルーター２０との間の通信を制御する。
ネットワークアドレスプール部３２は、上述したダイアルアップルーター２０のネットワークアドレスプール部２３と同様な構成であり、組込み機器１０が使用可能なネットワークアドレスを動的に獲得・解放するために使用される。
【００３５】
テーブル管理部３３は、組込み機器１０に関する情報を、組込み機器管理テーブル３４に対して登録・削除する。
組込み機器管理テーブル３４は、各組込み機器１０のネットワークアドレス、電話番号、組込み機器識別コード及び組込み機器付帯情報を格納している。
【００３６】
図６は、組込み機器管理テーブル３４のデータ構造を示す図である。
同図に示すように、組込み機器管理テーブル３４の各行は、「マシン番号」、「ネットワークアドレス」、「電話番号」、「（組込み機器）付帯情報」の各項目から構成されており、各行に、個々の組込み機器１０の上記各項目の情報が格納されている。
【００３７】
次に、上記構成の実施例の動作を説明する。
＜初期登録処理＞
操作員は、組込み機器１０にセンターマシン３０接続用の電話機１９を設置しダイアルアップルーター２０の電話番号とセンターマシン３０のネットワークアドレスを設定した後、組込み機器１０の初期登録処理を実行する。ダイアルアップルーター２０の電話番号とセンターマシン３０のネットワークアドレスは、システムで固定である。したがって、ダイアルアップルーター２０の電話番号とセンターマシン３０のネットワークアドレスは、全組込み機器１０で共通である。操作員が設定した上記ダイアルアップルーター２０の電話番号と上記センターマシン３０のネットワークアドレスは、接続先情報格納部１２に格納される。
【００３８】
図７は、本実施例の初期登録処理のシーケンスを示す図である。以下、図７を参照しながら説明する。
（１）  組込み機器１０は、自器の情報（電話番号、マシン番号）を組込み機器情報格納部１１から取得し、取得した電話番号により電話機１９を介してダイアルアップルーター２０へダイアリングして、ダイアルアップルーター２０との間でデータリンク層レベルでの接続を行う。この接続において、ダイアルアップルーター２０は、ネットワークアドレスプール部２３から組込み機器１０用の一時的なネットワークアドレスを取得し、そのネットワークアドレスを接続制御部２１を介して組込み機器１０へ通知する。そして、その後、データリンク層レベルでの通信接続を確立する。
（２）  組込み機器１０は、上記ダイアルアップルーター２０から通知されたネットワークを自器用のネットワークアドレスとして用いて、センターマシン３０へネットワーク層レベルでの接続を行う。
（３）  組込み機器１０は、ネットワークレベル層以上のコマンドをセンターマシン３０に送信して、自器の初期登録をセンターマシン３０に要求する。この初期登録コマンドのパラメータには、組込み機器１０のマシン番号、組込み機器１０の電話番号及び組込み機器１０の付帯情報（組込み機器１０の設置場所や設置月日など）などがある。
【００３９】
センターマシン３０は、それらの初期登録コマンドの各パラメータ値を基に、組込み機器１０（組込み機器１０の管理情報）を組込み機器管理テーブル３４に登録する。センターマシン３０は、この登録に際して、組込み機器１０の重複登録チェックを行い、組込み機器１０が未登録であれば、組込み機器１０を登録する。
【００４０】
続いて、センターマシン３０は、ネットワークアドレスプール部３２からネットワークアドレスを獲得し、そのネットワークアドレスを組込み機器管理テーブル３４に登録すると共に、組込み機器１０に接続制御部３１を介して通知する。組込み機器１０は、その通知されたネットワークアドレスを接続元情報格納部１３に格納する。
（４）  センターマシン３０は、上記組込み機器管理テーブル３４に登録された組込み機器１０の管理情報の中のネットワークアドレスと電話番号を対にしてダイアルアップルーター２０へ送信し、該組込み機器１０の登録をダイアルアップルーター２０に要求する。
【００４１】
ダイアルアップルーター２０は、上記登録要求を受け取ると、ダイアルアップ管理テーブル２４を検索して、ダイアルアップ管理テーブル２４内の受信した電話番号が格納されているエントリ（行）に該電話番号と共に受信したネットワークアドレスを格納する。組込み機器１０の電話番号は、上述した組込み機器１０の初期登録の際にダイアルアップ管理テーブル２４に格納されている。
【００４２】
このように、組込み機器１０の初期登録において、組込み機器１０には、ダイアルアップルーター２０からダイアルアップルーター２０間での通信に使用するネットワークアドレスが通知されると共に、センターマシン３０からはセンターマシン３０間での通信に使用するネットワークアドレスが通知される。ダイアルアップルーター２０とセンターマシン３０は、組込み機器１０に通知して上記ネットワークアドレスを、それぞれ、ダイアルアップ管理テーブル２４と組込み機器管理テーブル３４に格納して管理する。
【００４３】
初期登録後の通信処理は、以下の通りである。
組込み機器１０の初期登録後の通信には、（１）組込み機器１０からセンターマシン３０へ接続する場合と、（２）センターマシン３０から組込み機器１０へ接続する場合の２通りがある。
【００４４】
＜組込み機器１０からセンターマシン３０への接続＞
組込み機器１０は、接続先情報（全組込み機器１０で共通なダイアルアップルーター２０への電話番号と全組込み機器１０で共通なセンターマシン３０のネットワークアドレス）と接続元情報（センターマシン３０から通知されたネットワークアドレス）を、それぞれ、接続先情報格納部１２と接続元情報格納部１３から取り出して、それらの情報を基にセンターマシン３０への接続を行う。
【００４５】
この接続は、ダイアルアップルーター２０を介して行われる。ダイアルアップルーター２０は、組込み機器１０からの着呼後、組込み機器１０から指定されたネットワークアドレス（接続先ネットワークアドレスと接続元ネットワークアドレス）で、組込み機器１０をセンターマシン３０に接続（中継）する処理を行う。
【００４６】
＜センターマシン３０から組込み機器１０への接続＞
センターマシン３０は、接続先情報（通信したいマシン番号を有する組込み機器１０のネットワークアドレス）と接続元情報格（センターマシン３０のネットワークアドレス）を基に、組込み機器１０への接続を行う。
【００４７】
センターマシン３０は、組込み機器管理テーブル３４を検索して、上記接続先情報を取得する。この検索に際しては、組込み機器１０のマシン番号が格納されていエントリの検索が行われる。また、上記接続元情報であるセンターマシン３０のネットワークアドレスは固定である。このネットワークアドレスは、例えば接続制御部３１内のメモリ（不図示）に格納される。
【００４８】
このセンターマシン３０から組込み機器１０への接続に際して、ダイアルアップルーター２０は、ダイアルアップ管理テーブル２４を検索して、センターマシン３０から指定されたネットワークアドレスが格納されているエントリから電話番号を取得し、この電話番号でダイアリングして組込み機器１０への接続処理を行う。
【００４９】
＜組込み機器１０の削除＞
組込み機器１０の削除処理には、組込み機器１０側から行う場合と、センターマシン３０側から行う場合の２種類がある。組込み機器１０側からの削除は、操作員が組込み機器１０を撤去する場合に実施される。一方、センターマシン３０側からの削除は、センターマシン３０が遠隔操作で行う組込み機器１０の動作チェックで、組込み機器１０が異常であると判断したときなどに実施する。
【００５０】
＜組込み機器１０側からの削除＞
図８は、組込み機器１０側からの組込み機器１０の削除処理のシーケンスを示す図である。
（１）  組込み機器１０は、ダイアルアップルーター２０対してダイアリングを行い、ダイアルアップルーター２０とデータリンク層レベルの接続を行う。この接続時においては、ダイアルアップルーター２０は組込み機器１０に対してネットワークアドレスの配布は行わない。上述したように、ダイアルアップルーター２０は、組込み機器１０の初期登録時に、組込み機器１０にネットワークアドレスを配布しているからである。
（２）  組込み機器１０は、上述データリンク層レベルでの接続完了後、センターマシン３０とネットワーク層レベルでの接続を行う。
（３）  組込み機器１０は、ネットワーク層レベル以上のコマンドにより、センターマシン３０に対して自器の削除処理を要求する。この削除要求コマンドのパラメータには組込み機器１０のマシン番号があり、センターマシン３０はそのマシン番号を基に組込み機器管理テーブル３４を検索し、そのマシン番号が格納されているエントリを見つけ、そのエントリを削除する。そして、そのエントリに格納されていたネットワークアドレスをネットワークアドレスプール部３２に返却する。
（４）  センターマシン３０は、上記削除したネットワークアドレスをパラメータとするコマンドをダイアルアップルーター２０に送信し、ダイアルアップルーター２０に削除要求を行う。ダイアルアップルーター２０は、ダイアルアップ管理テーブル２４を検索し、上記パラメータとして設定されているネットワークアドレスが格納されているエントリがあれば、このエントリから上記ネットワークアドレスを削除する。
【００５１】
＜センターマシン３０側からの削除＞
図９は、センターマシン３０側からの組込み機器１０の削除処理を示す図である。
（１）  センターマシン３０は、組込み機器１０の削除を行いたい場合には、組込み機器管理テーブル３４内の該当エントリ（削除する組込み機器１０の管理情報が格納されているエントリ）を削除する。そして、その組込み機器１０が使用していたネットワークアドレスをネットワークアドレスプール部３２に返却し、そのネットワークアドレスをパラメータとするコマンドにより、ダイアルアップルーター２０に対して上記削除した組込み機器１０の削除を要求する。
【００５２】
ダイアルアップルーター２０は、ダイアルアップ管理テーブル２４を検索し、上記パラメータとして送られてきたネットワークアドレスがダイアルアップ管理テーブル２４に格納されていれば、それを該当エントリから削除する。
【００５３】
このように、組込み機器１０の削除は、センターマシン３０の組込み機器管理テーブル３４及びダイアルアップルーター２０のダイアルアップ管理テーブル２４から、該組込み機器１０のネットワークアドレスを削除することにより行われる。
【００５４】
上記実施例では、組込み機器１０をダイアルアップ接続するための機器として電話機１９を使用するようにしているが、電話機ではなく、モデムやターミナルアダプターなどを用いるようにしてもよい。
【産業上の利用可能性】
【００５５】
本発明は、複数の組込み機器が中継機経由でセンターマシンとダイアルアップ接続により接続されるシステム全般に適用可能である。
【図面の簡単な説明】
【００５６】
【図１】本発明の実施例のシステム全体の構成図である。
【図２】組込み機器の内部構成を示す図である。
【図３】ダイアルアップルーターの内部構成を示す図である。
【図４】ダイアルアップ管理テーブルのデータ構造を示す図である。
【図５】センターマシンの内部構成を示す図である。
【図６】組込み機器管理テーブルのデータ構造を示す図である。
【図７】組込み機器の初期登録シーケンスを示す図である。
【図８】組込み機器側からの削除シーケンスを示す図である。
【図９】センターマシン側からの削除シーケンスを示す図である。
【符号の説明】
【００５７】
１０（１０−１〜１０−ｎ）  組込み機器
１１  組込み機器情報格納部
１２  接続先情報格納部
１３  接続元情報格納部
１４  登録処理部
１５  削除処理部
１６  接続制御部
１９（１９−１〜１９−ｎ）  電話機
２０  中継機（ダイアルアップルーター）
２１  接続制御部
２２  ネットワークアドレス管理部
２３  ネットワークアドレスプール部
２４  ダイアルアップ管理テーブル
３０  センターマシン
３１  接続制御部
３２  ネットワークアドレスプール部
３３  テーブル管理部
３４  組込み機器管理テーブル
【図１】
2007312038.tif 000003
【図２】
2007312038.tif 000004
【図３】
2007312038.tif 000005
【図４】
2007312038.tif 000006
【図５】
2007312038.tif 000007
【図６】
2007312038.tif 000008
【図７】
2007312038.tif 000009
【図８】
2007312038.tif 000010
【図９】
2007312038.tif 000011